【手続補正書】
【提出日】令和2年10月27日(2020.10.27)
【手続補正１】
【補正対象書類名】特許請求の範囲
【補正対象項目名】全文
【補正方法】変更
【補正の内容】
【特許請求の範囲】
【請求項１】
用語の技術的出現を判断する方法であって、
少なくとも１つのプロセッサを備えるシステムによって、テキスト情報を有する複数の記録を含むデータ・セットにアクセスするステップであって、前記複数の記録は文書レポジトリを含むデータベース内で当該データベース内の関連技術内容に関する記録を識別する調査用検索を使用した調査から得られ、更に、前記複数の記録はベース期間と当該ベース期間後のアクティブ期間とを有する予め定義された時間間隔に相当する、ステップと、
前記システムによって、前記複数の記録のサブセットから、所定の基準を満たす１組の用語を決定するステップであって、前記複数の記録のサブセットが前記アクティブ期間である、ステップと、
前記システムによって、前記予め定義された時間間隔の少なくとも一部に対して前記１組の用語の各用語に関する、複数の相対的要素値を決定するステップと、
前記システムによって、少なくとも前記複数の相対的要素値に基づいて、前記１組の用語の各用語に対する数値スコアを決定するステップであって、前記複数の相対的要素値は、
前記アクティブ期間の最後の部分の間の公開アクティビティに相当する第１の重み−前記アクティブ期間の最初の第２の重みと、
前記アクティブ期間の第１の直前部分の間の公開アクティビティに相当する第１の重み−前記アクティブ期間の中間先行部分の間の公開アクティビティに相当する第２の重みと、
前記アクティブ期間の中間部分から前記アクティブ期間の第２の直近部分までの勾配と、
前記アクティブ期間の第１の部分から前記アクティブ期間の前記中間部分までの勾配とを含む、ステップと、
前記１組の用語の第１の用語が、閾値の数値スコア以上である第１の数値スコアを有することを決定するステップと、
前記１組の用語の第１の用語が、閾値の数値スコア以上である第１の数値スコアを有することを決定するステップと、
前記システムによって、出現する用語として前記第１の用語を分類するステップと
を含む、方法。
【請求項２】
前記複数の相対的要素値は、前記予め定義された時間間隔の前記アクティブ期間の第１の部分に基づく、前記１組の用語における各用語に関する第１の相対的要素値と、前記予め定義された時間間隔の前記アクティブ期間の第２の部分に基づく、前記１組の用語における各用語に関する第２の相対的要素値と、前記予め定義された時間間隔の前記アクティブ期間の第３の部分に基づく、各用語に関する第３の相対的要素値とを有する、請求項１に記載の方法。
【請求項３】
前記所定の基準は、
前記複数の記録の前記サブセットにおける最小の数の記録の中の、少なくとも１つの用語インスタンスと、
前記複数の記録の前記サブセットにおける最小の数の記録期間での、少なくとも１つの記録の中の少なくとも１つの用語インスタンスと、
前記アクティブ期間の予め定義された第１の部分からの、記録の最大の割合の中の少なくとも１つの用語インスタンスと、
前記データ・セットの前記所定の時間間隔の予め定義された第１の部分からの少なくとも１つの用語インスタンスを有する第１の記録数の、前記データ・セットの前記予め定義された時間間隔の予め定義された第２の部分からの同じ用語の少なくとも１つの用語インスタンスを有する第２の記録数に対する比と、
異なる著者データを有する、前記複数の記録の第２のサブセット内の少なくとも１つの用語インスタンスと
のうちの少なくとも１つを含む、請求項１に記載の方法。
【請求項４】
前記システムによって、
前記アクティブ期間の最後の部分の間の出版活動数に相当する第１の重み−前記アクティブ期間の最初の部分の間の出版活動数に相当する第２の重みと、
前記アクティブ期間の第１の最近の部分の出版活動数−前記アクティブ期間の直前の部分の出版活動数と、
前記アクティブ期間の中間点部分から、前記アクティブ期間の第２の最近の部分までの勾配と、
前記アクティブ期間の第１の点部分から、前記アクティブ期間の前記中間点部分への勾配と
に対してそれぞれ数値を割り当てるステップを含む、請求項２に記載の方法。
【請求項５】
数値スコアを決定するステップは、前記システムによって、各相対的要素値に所定の重みを適用するステップ、及び前記相対的要素値を集計するステップのうちの少なくともいずれか一方をさらに含む、請求項４に記載の方法。
【請求項６】
前記システムによって、少なくとも１つの特徴を共有する記録を含む１組の第２の記録に関する、少なくとも１つの指標を生成するステップをさらに含み、前記少なくとも１つの指標は、
所定の閾値を満たすスコアを有する用語のスコアの総和と、
所定の閾値を満たすスコアを有する用語のインスタンスの数と、
前記１組の第２の記録について所定の閾値を満たすスコアを有する用語の平均スコアと、
所定の閾値を満たすスコアを有する用語のスコアの自然対数の総和と、
所定の閾値を満たすスコアを有する用語のスコアの自然対数の平均と、
所定の閾値を満たすスコアを有する用語のスコアの平方根の総和と、
所定の閾値を満たすスコアを有する用語のスコアの平方根の平均と、
所定の閾値を満たすスコアを有する用語の少なくとも１つのインスタンスを含むセットからの記録数と、
所定の閾値を満たすスコアを有する用語の少なくとも１つのインスタンスを含むセットからの記録の割合と、
所定の閾値を満たすスコアを有し、且つ１つの記録内に現れる用語の平均スコアと、
所定の平均スコアを満たすセット内の記録の割合と、
所定の閾値を満たすスコアを有し、且つ１つの記録内に現れる用語の、所定の数のインスタンスを有するセット内の記録の割合と、
所定の閾値を満たすスコアを有する唯一の用語の数と、
所定のスコアの総和の閾値を満たす記録数と
のうちの少なくとも１つに基づく、請求項５に記載の方法。
【請求項７】
少なくとも１つの指標を生成するステップは、前記１組の第２の記録の各記録内の用語の各第１のインスタンスに関して、所定の閾値を満たす用語のそれぞれのスコアの平方根の数値の総和を計算することによって、前記少なくとも１つの指標の中の１つの指標に値を割り当てるステップを含む、請求項６に記載の方法。
【請求項８】
前記システムによって、前記１組の第２の記録の少なくともひとつの記録に関連する少なくとも１つの指標を表示するステップをさらに含む、請求項７に記載の方法。
【請求項９】
コンピュータがアクセス可能な命令を有する、コンピュータ可読の非一時的記憶媒体であって、実行されるとき、前記命令により、
テキスト情報を有する複数の記録を有するデータ・セットにアクセスすることであって、前記複数の記録は文書レポジトリを含むデータベース内で当該データベース内の関連技術内容に関する記録を識別する調査用検索を使用した調査から得られ、更に、前記複数の記録は、ベース期間と当該ベース期間後のアクティブ期間とを有する予め定義された時間間隔に相当することと、
前記複数の記録のサブセットから、所定の基準を満たす１組の用語を決定することとであって、当該所定の基準は、
前記複数の記録の前記サブセットにおける最小の数の記録の中の、少なくとも１つの用語インスタンスと、
前記複数の記録の前記サブセットにおける最小の数の記録期間での、少なくとも１つの記録の中の少なくとも１つの用語インスタンスと、
前記アクティブ期間の予め定義された第１の部分からの、記録の最大の割合の中の少なくとも１つの用語インスタンスと、
前記データ・セットの前記所定の時間間隔の予め定義された第１の部分からの少なくとも１つの用語インスタンスを有する第１の記録数の、前記データ・セットの前記予め定義された時間間隔の予め定義された第２の部分からの同じ用語の少なくとも１つの用語インスタンスを有する第２の記録数に対する比と、
異なる著者データを有する、前記複数の記録の第２のサブセット内の少なくとも１つの用語インスタンスと、  を含む、決定することと、
前記予め定義された時間間隔の一部又は複数部分の間での、各用語に関する複数の相対的要素値を決定することと、
少なくとも前記複数の相対的要素値に基づいて、前記１組の用語の各用語に対する数値スコアを決定するステップであって、前記複数の相対的要素値は、
前記アクティブ期間の最後の部分の間の公開アクティビティに相当する第１の重み−前記アクティブ期間の最初の第２の重みと、
前記アクティブ期間の第１の直前部分の間の公開アクティビティに相当する第１の重み−前記アクティブ期間の中間先行部分の間の公開アクティビティに相当する第２の重みと、
前記アクティブ期間の中間部分から前記アクティブ期間の第２の直近部分までの勾配と、
前記アクティブ期間の第１の部分から前記アクティブ期間の前記中間部分までの勾配とを含む、ステップと、
前記１組の用語の第１の用語が、閾値の数値スコア以上である第１の数値スコアを有することを決定するステップと、
出現する用語として前記第１の用語を分類するステップと
を含む、媒体。
【請求項１０】
前記複数の相対的要素値は、前記予め定義された時間間隔の前記アクティブ期間の第１の部分に基づく、各用語に関する第１の相対的要素値と、前記予め定義された時間間隔の前記アクティブ期間の第２の部分に基づく、各用語に関する第２の相対的要素値と、前記予め定義された時間間隔の前記アクティブ期間の第３の部分に基づく、各用語に関する第３の相対的要素値との中の少なくとも１つを有する、請求項９に記載の媒体。
【請求項１１】
前記複数の相対的要素値を決定するステップは、時系列データの少なくとも１つの傾向分析に基づいて、各相対的要素値に対して数値を割り当てることと、各相対的要素値に所定の重みを適用することとを含む、請求項９に記載の媒体。
【請求項１２】
前記命令は、少なくとも１つの共通の特徴を有する１組の第２の記録に関する、少なくとも１つの指標を生成することをさらに含み、前記少なくとも１つの指標は、
所定の閾値を満たすスコアを有する用語のスコアの総和と、
所定の閾値を満たすスコアを有する用語のインスタンスの数と、
１組の第２の記録について所定の閾値を満たすスコアを有する用語の平均スコアと、
所定の閾値を満たすスコアを有する用語のスコアの自然対数の総和と、
所定の閾値を満たすスコアを有する用語のスコアの自然対数の平均と、
所定の閾値を満たすスコアを有する用語のスコアの平方根の総和と、
所定の閾値を満たすスコアを有する用語のスコアの平方根の平均と、
所定の閾値を満たすスコアを有する用語の少なくとも１つのインスタンスを含むセットからの記録数と、
所定の閾値を満たすスコアを有する用語の少なくとも１つのインスタンスを含むセットからの記録の割合と、
所定の閾値を満たすスコアを有し、且つ１つの記録内に現れる用語の平均スコアと、
所定の平均スコアを満たすセット内の記録の割合と、
所定の閾値を満たすスコアを有し、且つ１つの記録内に現れる用語の、所定の数のインスタンスを有するセット内の記録の割合と、
所定の閾値を満たすスコアを有する唯一の用語の数と、
所定のスコアの総和の閾値を満たす記録数と
のうちの少なくとも１つに基づき、
前記命令は、各指標に値を割り当てることをさらに含み、
前記少なくとも１つの共通の特徴の第１の特徴は、個人と、組織と、国と、データ源と、文書の種類と、文書の区分と、技術と、技術領域と、技術分野と、時間間隔と、地理的な場所と、特許分類とのうちの少なくとも１つに関連する情報に関係する、請求項１０に記載の媒体。
【請求項１３】
前記値を割り当てることは、前記セットの各記録内の用語の各第１のインスタンスに関して、予め定義された閾値を満たす用語のスコアの平方根の数値の総和を計算することを含む、請求項１２に記載の媒体。
【請求項１４】
前記命令は、前記数値スコアを含む出現する用語を表示することと、前記少なくとも１つの指標を表示することと、複数の記録セットに関する複数の指標を表示することの中の少なくとも１つ含む、請求項１３に記載の媒体。
【請求項１５】
コンピュータがアクセス可能な命令を有する、少なくとも１つのメモリ装置と、
前記少なくとも１つのメモリ装置に機能的に結合された少なくとも１つのプロセッサであって、前記コンピュータがアクセス可能な命令の少なくとも一部によって、
テキスト情報を有する複数の記録を有するデータ・セットにアクセスすることであって、前記複数の記録は文書レポジトリを含むデータベース内で当該データベース内の関連技術内容に関する記録を識別する調査用検索を使用した調査から得られ、更に、前記複数の記録はベース期間と当該ベース期間後のアクティブ期間とを有する予め定義された時間間隔に相当することと、
前記複数の記録のサブセットから、所定の基準を満たす１組の用語を決定することであって、前記複数の記録のサブセットが前記アクティブ期間である、決定することと、
前記予め定義された時間間隔の少なくとも一部に対して前記１組の用語の各用語に関する複数の相対的要素値を決定することと、
前記複数の相対的要素値に基づいて、前記１組の用語の各用語に対する数値スコアを決定することであって、前記複数の相対的要素値は、
前記アクティブ期間の最後の部分の間の公開アクティビティに相当する第１の重み−前記アクティブ期間の最初の第２の重みと、
前記アクティブ期間の第１の直前部分の間の公開アクティビティに相当する第１の重み−前記アクティブ期間の中間先行部分の間の公開アクティビティに相当する第２の重みと、
前記アクティブ期間の中間部分から前記アクティブ期間の第２の直近部分までの勾配と、
前記アクティブ期間の第１の部分から前記アクティブ期間の前記中間部分までの勾配とを含む、決定することと、
最小の数値スコアを満たす前記１組の用語の各用語を、出現する用語として分類することと、
１組の記録に対する数値を有する少なくとも１つの指標を生成すること、
を行うように構成された少なくとも１つのプロセッサとを備え、
前記１組の記録の各記録は、個人と、組織と、国と、データ源と、文書の種類と、文書の区分と、技術と、技術領域と、技術分野と、時間間隔と、地理的な場所と、特許分類とのうちの少なくとも１つに関連する少なくとも１つの共有された属性に関係する、た、システム。
【請求項１６】
前記複数の相対的要素値は、前記予め定義された時間間隔の前記アクティブ期間の第１の部分に基づく、前記１組の用語の各用語に関する第１の相対的要素値と、前記予め定義された時間間隔の前記アクティブ期間の第２の部分に基づく、前記１組の用語の各用語に関する第２の相対的要素値と、前記予め定義された時間間隔の前記アクティブ期間の第３の部分に基づく、前記１組の用語の各用語に関する第３の相対的要素値とを有する、請求項１５に記載のシステム。
【請求項１７】
前記所定の基準は、
最小の数の記録の中の、少なくとも１つの用語インスタンスと、
最小の数の記録期間での、少なくとも１つの記録の中の少なくとも１つの用語インスタンスと、
前記アクティブ期間の予め定義された第１の部分からの、記録の最大の割合の中の少なくとも１つの用語インスタンスと、
前記アクティブ期間の予め定義された第１の部分からの少なくとも１つの用語インスタンスを有する記録数の、前記アクティブ期間の予め定義された第２の部分からの同じ用語の少なくとも１つの用語インスタンスを有する記録数に対する比であって、少なくとも約１：２である比と、
異なる著者データを有する、複数の記録内の少なくとも１つの用語インスタンスと
のうちの少なくとも１つを含む、請求項１６に記載のシステム。
【請求項１８】
前記少なくとも１つのプロセッサはさらに、
アクティブ期間中の最後の部分の出版活動数に相当する第１の重み−前記アクティブ期間の最初の部分の出版活動数に相当する第２の重みと、
前記アクティブ期間中の第１の最近の部分の出版活動数に相当する第１の重み−前記アクティブ期間の直前の部分の出版活動数に相当する第２の重みと、
前記アクティブ期間の中間点部分から、前記アクティブ期間の第２の最近の部分までの勾配と、
前記アクティブ期間の第１の点部分から、前記アクティブ期間の前記中間点部分への勾配と
に対して数値を割り当てることを含む、請求項１５に記載のシステム。
【請求項１９】
前記少なくとも１つの指標は、
所定の閾値を満たすスコアを有する用語のスコアの総和と、
所定の閾値を満たすスコアを有する用語のインスタンスの数と、
１組の第２の記録について所定の閾値を満たすスコアを有する用語の平均スコアと、
所定の閾値を満たすスコアを有する用語のスコアの自然対数の総和と、
所定の閾値を満たすスコアを有する用語のスコアの自然対数の平均と、
所定の閾値を満たすスコアを有する用語のスコアの平方根の総和と、
所定の閾値を満たすスコアを有する用語のスコアの平方根の平均と、
所定の閾値を満たすスコアを有する用語の少なくとも１つのインスタンスを含むセットからの記録数と、
所定の閾値を満たすスコアを有する用語の少なくとも１つのインスタンスを含むセットからの記録の割合と、
所定の閾値を満たすスコアを有し、且つ１つの記録内に現れる用語の平均スコアと、
所定の平均スコアを満たすセット内の記録の割合と、
所定の閾値を満たすスコアを有し、且つ１つの記録内に現れる用語の、所定の数のインスタンスを有するセット内の記録の割合と、
所定の閾値を満たすスコアを有する唯一の用語の数と
のうちの少なくとも１つに基づく、請求項１５に記載のシステム。
【請求項２０】
前記少なくとも１つのプロセッサはさらに、前記セットの各記録内の用語の各第１のインスタンスに関して、予め定義された閾値を満たす用語のスコアの平方根の数値の総和を計算するよう構成される、請求項１９に記載のシステム。
【請求項２１】
前記比は、少なくとも約１：２である、請求項９に記載の媒体。
【請求項２２】
前記所定の基準は、最小値の記録における少なくとも１つのインスタンスを含む、請求項９に記載の媒体。
【請求項２３】
前記所定の基準は、前記アクティブ期間の予め定義された第１の部分からの定義された割合の記録における少なくとも１つのインスタンスを含む、請求項９に記載の媒体。